(57)【要約】【課題】  本発明は、液晶ディスプレイの液晶パネルに配置することにより、斜め方向から見た場合にも、正面から見た場合に劣らない画質を創りだす視角補償フィルムを提供することにある。【解決手段】  透明性を有する高分子樹脂フィルムに光を拡散させる特質を有するクレーズを発現させ、このフィルムを液晶ディスプレイの液晶パネルに配置して液晶パネルの視角改良を行う。これにより、液晶パネルに相対するクレーズの方向を多元化することにより斜め方向から見た場合にも、正面から見た場合に劣らない画質を創りだす視角改良がなされる。【選択図】  図１
2006350113.tif 000002
【特許請求の範囲】
【請求項１】
少なくとも２枚の、クレーズが生成された透明性を有する高分子樹脂フィルムが、クレーズが直交する状態に積層されていることを特徴とする、液晶ディスプレイの液晶パネルに配置される拡散フィルム。
【請求項２】
二軸の分子配向をもつ透明性を有する高分子樹脂フィルムに、各々の分子配向方向と略平行にクレーズを生成させたことを特徴とする、液晶ディスプレイの液晶パネルに配置される拡散フィルム。
【請求項３】
無軸の分子配向をもつ透明性を有する高分子樹脂フィルムに、クレーズを生成させたことを特徴とする、液晶ディスプレイの液晶パネルに配置される拡散フィルム。
【請求項４】
少なくとも２枚の一軸の分子配向をもつ透明性を有する高分子樹脂フィルムが、分子配向の方向が直交する状態に積層されており、各々分子配向方向と略平行にクレーズを生成させたことを特徴とする、液晶ディスプレイの液晶パネル配置される拡散フィルム。
【請求項５】
少なくとも２枚の、クレーズが生成された透明性を有する高分子樹脂フィルムが、クレーズが直交する状態に積層されていることを特徴とする、透過型液晶ディスプレイのバックライトに配置される拡散フィルム。
【請求項６】
二軸の分子配向をもつ透明性を有する高分子樹脂フィルムに、各々の分子配向方向と略平行にクレーズを生成させたことを特徴とする、透過型液晶ディスプレイのバックライトに配置される拡散フィルム。
【請求項７】
無軸の分子配向をもつ透明性を有する高分子樹脂フィルムに、クレーズを生成させたことを特徴とする、透過型液晶ディスプレイのバックライトに配置される拡散フィルム。
【請求項８】
少なくとも２枚の一軸の分子配向をもつ透明性を有する高分子樹脂フィルムが、分子配向の方向が直交する状態に積層されており、各々分子配向方向と略平行にクレーズを生成させたことを特徴とする、透過型液晶ディスプレイのバックライトに配置される拡散フィルム。
【発明の詳細な説明】
【技術分野】
【０００１】
本発明は液晶ディスプレイの液晶パネル並びに透過型液晶ディスプレイのバックライトに配置される、拡散フィルムに関する。
【背景技術】
【０００２】
従来より液晶ディスプレイ（ＬＣＤ）は、軽量である点、消費電力が少ない等の特徴を有することから、ノートパソコン、モニター等に広く活用され、さらに金融機関におけるＡＴＭ、家庭用テレビ、スクリーン等にも普及が図られている。
【０００３】
液晶ディスプレイ（ＬＣＤ）は、ＣＲＴと比較して、正面から見た場合にはＣＲＴを超える画質が得られるようになってきている反面、左右、上下などの斜め方向から見た場合のコントラスト低下や色相の変化といった視角特性が十分でないため、この改良が多方面から進められている。
【０００４】
ＬＣＤの視角改良をする方法としては、マイクロレンズにより正面方向の映像を全方向に広げる方法や、特開平８‐２９２３２２号公報に見られるように散乱に方向依存性のある光学フィルムを用い、散乱により視角を拡大する方法、特開平１０‐１８６１０９号公報には、非晶性熱可塑性樹脂を降伏応力の８０％以上１００％未満の応力下で３０ｍｍ／秒以下の変形速度で一軸延伸することによって、配向方向と直交する方向に特定形状のクレーズを有する拡散フィルムを用いることが開示されている。
【０００５】
液晶パネルの裏側から光をあて、画面に像を映し出す、透過型液晶ディスプレイのバックライトは、ランプをそのまま液晶パネル照射すると、明るさ（輝度）にムラなどが生じ、液晶パネル画面が見にくくなる。この状態を解消する目的で、バックライトには、ランプの光が通る方向面に光を拡散させる拡散板、光量を低減するライトカーテン、光量を増強させるプリズムシートなどが配置されている。
【０００６】
ランプをサイド（側面）に配置するサイドライト方式バックライトにおいては、ランプがサイドにあるために横方向の光を縦方向の光に変換する導光板が必要となる。導光板の底部には光を上辺方向に変えるために反射フィルムが配置され、その反射フィルムの効率を上げるために散乱パターンが導光板の底辺に印刷、あるいは、射出成形にて作られている。
【０００７】
【特許文献１】特開平０８‐２９２３２２号公報
【特許文献２】特開平１０‐１８６１０９号公報
【非特許文献１】鈴木八十二著「液晶の本」日刊工業新聞社  ２００３年
【発明の開示】
【発明が解決しようとする課題】
【０００８】
前記、マイクロレンズを用いる方法や特開平８‐２９２３２２号公報に記載の方法は、ＬＣＤの視角改良に効果は認められるが、工業的に生産するに際しては、高度の技術を必要とし、また比較的高価になることから必ずしも十分満足できるものではなく、また、特開平１０‐１８６１０９号公報に記載の方法は、非晶性熱可塑性樹脂を一軸延伸することによって、配向方向と直交する方向に特定形状のクレーズを有する拡散フィルムが開示されているが一軸延伸の場合にはクレーズの方向は常に配向方向と平行に生成されるため左右、上下からの視角改良が十分なされたものとはなっていない。
【０００９】
本発明は、このような従来の問題を解決しようとするもので、液晶ディスプレイのパネルに配することにより正面から見た場合に劣らない画質を創りだす拡散フィルムを提供することと、透過型液晶ディスプレイのバックライトに配置することによりランプの光が通る方向面に光を拡散させる拡散部材を軽量、薄化するとともに、安価で提供することにある。
【課題を解決するための手段】
【００１０】
上記目的を達成するための本発明の拡散フィルムは、高分子樹脂フィルムを素材に採用することにより軽量化、薄化などを図るとともに、高分子樹脂フィルムに生成されるクレーズの方向を多方向にすることにより液晶ディスプレイの液晶パネルの視角改良をなし得たものである。
【００１１】
請求項１に記載の発明は、少なくとも２枚のクレーズが生成された透明性を有する高分子樹脂フィルムが、クレーズが直交する状態に積層されていることを特徴とする、液晶ディスプレイのパネルに用いられる拡散フィルムである。パネルの左右、上下方向にクレーズの生成方向を直交して配することにより左右、上下方向の視角改良がなされる。
【００１２】
請求項２に記載の発明は、二軸の分子配向をもつ透明性を有する高分子樹脂フィルムに、各々の分子配向方向と略平行にクレーズを生成させたことを特徴とする、液晶ディスプレイの液晶パネルに用いられる拡散フィルムである。クレーズが二方向より直交された状態で高分子樹脂フィルムに生成されることにより、液晶パネルの左右、上下方向にクレーズの生成方向を直交して配した場合に、液晶パネルの左右、上下方向の視角改良がなされる。
【００１３】
請求項３に記載の発明は、無軸の分子配向を有する高分子樹脂フィルムに、クレーズを生成させたことを特徴とする、液晶ディスプレイの液晶パネルに用いられる拡散フィルムである。この拡散フィルムは、高分子樹脂フィルムに生成されるクレーズの方向が一定ではないことから、液晶パネルに配することにより、多方向からの視角改良がなされる。
【００１４】
請求項４に記載の発明は、少なくとも２枚の一軸の分子配向をもつ透明性を有する高分子樹脂フィルムが、分子配向の方向が直交する状態に積層されており、各々分子配向方向と略平行にクレーズを生成させたことを特徴とする、液晶ディスプレイの液晶パネルに用いられる拡散フィルムである。少なくとも２枚の、一軸の分子配向を有する高分子樹脂フィルムが、分子配向の方向が直交する状態に積層させた後、各々軸方向と平行にクレーズを生成させることにより、２方向の収縮率が均一な拡散フィルムが得られ、液晶パネルに配置することにより、多方向からの均一な視角改良がなされる。
【００１５】
請求項５に記載の発明は、少なくとも２枚のクレーズが生成された透明性を有する高分子樹脂フィルムが、クレーズが直交する状態に積層されていることを特徴とする、透過型液晶ディスプレイのバックライトに配置される拡散フィルムである。従来の拡散板と比較して本発明の拡散フィルムは素材が透明性を有する高分子樹脂からなるフィルムであり、軽量化と薄化をなし得るとともに透明性を有することから画面の明るさの向上にも寄与するものとなっている。さらに、クレーズが二方向より直交された状態で高分子樹脂フィルムに生成されることにより、ムラのない光の拡散がなされる。
【００１６】
また、少なくとも２枚の、一軸の分子配向を有する高分子樹脂フィルムが、分子配向の方向が直交する状態に積層させた後、各々軸方向と平行にクレーズを生成させることにより、２方向の収縮と膨張が抑制される。
【００１７】
請求項６に記載の発明は、二軸の分子配向をもつ透明性を有する高分子樹脂フィルムに、各々の分子配向方向と略平行にクレーズを生成させたことを特徴とする、透過型液晶ディスプレイのバックライトに配置される拡散フィルムである。従来の拡散板と比較して本発明の拡散フィルムは素材が透明性を有する高分子樹脂からなるフィルムであり、軽量化と薄化をなし得るとともに透明性を有することから画面の明るさの向上にも寄与するものとなっている。さらに、クレーズが二方向より直交された状態で高分子樹脂フィルムに生成されることにより、ムラのない光の拡散がなされる。
【００１８】
請求項７に記載の発明は、無軸の分子配向をもつ透明性を有する高分子樹脂フィルムに、クレーズを生成させたことを特徴とする、透過型液晶ディスプレイのバックライトに配置される拡散フィルムである。従来の拡散板と比較して本発明の拡散フィルムは素材が透明性を有する高分子樹脂からなるフィルムであり、軽量化と薄化をなし得るとともに透明性を有することから画面の明るさの向上にも寄与するものとなっている。さらに、クレーズが二方向より直交された状態で高分子樹脂フィルムに生成されることにより、ムラのない光の拡散がなされる。
【００１９】
請求項８に記載の発明は、少なくとも２枚の一軸の分子配向をもつ透明性を有する高分子樹脂フィルムが、分子配向の方向が直交する状態に積層されており、各々分子配向方向と略平行にクレーズを生成させたことを特徴とする、透過型液晶ディスプレイのバックライトに配置される拡散フィルムである。従来の拡散板と比較して本発明の拡散フィルムは素材が透明性を有する高分子樹脂からなるフィルムであり、軽量化と薄化をなし得るとともに透明性を有することから画面の明るさの向上にも寄与するものとなっている。さらに、クレーズが二方向より直交された状態で高分子樹脂フィルムに生成されることにより、ムラのない光の拡散がなされる。
【００２０】
また、少なくとも２枚の、一軸の分子配向を有する高分子樹脂フィルムが、分子配向の方向が直交する状態に積層させた後、各々軸方向と平行にクレーズを生成させることにより、２方向の収縮と膨張が抑制される。
【発明の効果】
【００２１】
本発明の拡散フィルムは、液晶パネルの視角改良を成し得るとともに、工業的に生産するに際しても、従来の技術と比較して高度の技術を必要とせず容易に製造することができことから大量生産に適しており、コストの削減に繋がる。さらには、フィルムの素材となる高分子樹脂の種類を選定し、着色、抗菌処理などを施すことにより様々な用途での使用が期待される。
【発明を実施するための最良の形態】
【００２２】
以下、本発明の拡散フィルムについて詳細に説明するが、これは代表的なものを示したものであり、実施例により本発明が限定されるものではない。
【００２３】
本発明の拡散フィルムは、一般に市販されている厚さ２５μｍのポリフッ化ビニリデンなどのような透明性の高分子樹脂フィルムに、分子配向方向と略平行に２０μｍ程度の間隔を有するクレーズが生成されている。このクレーズは、同高分子樹脂フィルムの表面だけでなくその厚さ方向に連通している。
【００２４】
高分子樹脂フィルムに形成されるクレーズを、図１に示し詳しく説明する。クレーズ２０は、高分子樹脂フィルム１０の表面に現れる表面クレーズと内部に発生する内部クレーズを含むものであって、微細なひび状の模様を有する領域を言う。このクレーズは分子束（フィブリル）２４とひび割れに似た多数の微細な連通孔（ボイド）２２から構成されており、連通孔は一定ではなくとも０．０２〜０．１５ｎｍ程度に、高分子樹脂フィルムの厚み方向に連通している。
【００２５】
本発明の拡散フィルムに用いる透明性の高分子樹脂フィルムとしては、ポリフッ化ビニリデンを採用するのが望ましい。ポリフッ化ビニリデンは、低温から高温まで広い使用温度範囲をもち、可撓性を有すると共に力学的に優れ、耐候性も極めて良く長期において透明度及び可撓性が変わらず、さらに耐薬品性にも優れる。
【００２６】
ポリフッ化ビニリデン以外にも、ポリスチレン、ポリエチレン、ポリプロピレン、ポリエステル、ポリアミド等の透明性の高分子樹脂フィルムは、クレーズを生成することが容易であり、採用に適した高分子樹脂フィルムといえる。
【００２７】
次に、この拡散フィルムの製造方法の一実施例を以下に説明する。緊張状態に保持された前記市販のポリフッ化ビニリデンなどのような透明性の高分子樹脂フィルム面に、先端部が鋭角（５０度以下がクレーズ生成の観点から好ましい）なエッジを分子配向方向と略平行に押し付けるように当接して該フィルムを局部的に折り曲げ、その状態で分子配向方向と略直角の方向に移動させることにより該フィルム中にクレーズが生成される。
【００２８】
該クレーズを分子配向の方向と略平行の方向に形成するのは、分子鎖の配向の方向と直角の方向に引っ張るほうがクレーズの形成が容易であることによる。
【産業上の利用可能性】
【００２９】
本発明の拡散フィルムでは透過する光や入射する光が拡散され、反射光の発生が抑制される。これにより屋内、屋外に限定されることなくパネルの視認が容易なものとなる。したがって携帯電話、ビデオカメラのモニター等への利用が期待される。
【図面の簡単な説明】
【００３０】
【図１】本発明に係る拡散フィルムの１実施例の要部拡大平面図である。
【符号の説明】
【００３１】
１０    高分子樹脂フィルム
２０    クレーズ
２２    微細な連通孔（ボイド）
２４    分子束（フィブリル）
２６    拡散フィルム
【図１】
2006350113.tif 000003